(57)【要約】  本発明は、通信システムを動作させるための方法に関し、当該システムは、プライマリ局と少なくとも１つのセカンダリ局を有し、プライマリ局は、セカンダリ局と通信するために少なくとも２つの送信モードのセットから送信モードを選択し、セカンダリ局は、少なくとも１つの制御チャネル特性に基づいて選択された送信モードを推定する。
2013516881.tif 000002
【特許請求の範囲】
【請求項１】
プライマリ局と少なくとも１つのセカンダリ局を有する通信システムを動作させるための方法であって、前記プライマリ局は、前記セカンダリ局と通信するために少なくとも２つの送信モードのセットから送信モードを選択し、前記セカンダリ局は、少なくとも１つの制御チャネル特性に基づいて、選択された送信モードを推定する方法。
【請求項２】
送信モードの前記セットが、SU-MIMO、MU-MIMO、CoMP、少なくとも１つのコードブックのセット、フィードバック・モードを有する、請求項１に記載の方法。
【請求項３】
前記制御チャネル特性が、ダウンリンク制御情報（DCI）メッセージの特性であり、
リソース適用タイプを示すために用いられるDCIメッセージ・フォーマット、既存のDCIフォーマットのDCIメッセージ・フィールド・コンテンツ、制御に用いられる特定のDCIフィールド、既存のフォーマットにおける空間レイヤの数のうちの少なくとも１つを含む、請求項１に記載の方法。
【請求項４】
前記制御チャネル特性が、制御チャネルデータ送信の性質を含む、請求項１に記載の方法。
【請求項５】
前記制御チャネルデータ送信の前記性質が、サーチ空間における制御チャネルデータの位置、前記制御チャネルデータの少なくとも一部に適用されるスクランブリング・シーケンス、又は、前記制御チャネルデータに使用される物理リソースの量を含む、請求項４に記載の方法。
【請求項６】
前記スクランブリング・シーケンスが、前記制御チャネルデータの巡回冗長チェック（ＣＲＣ）に適用される、請求項５に記載の方法。
【請求項７】
前記制御チャネル特性が、選択された送信モードを推定するために前記セカンダリ局によって使用される送信ランク指示である、請求項１に記載の方法。
【請求項８】
送信ランクが第１の予め定められた数Mを超える場合、前記セカンダリ局は、選択された送信モードがSU-MIMOであることを推定し、送信ランクが前記第1の予め定められた数M以下の第２の予め定められた数Nより小さい場合、前記セカンダリ局は、選択された送信モードがMU-MIMOモードであることを推定する、請求項７に記載の方法。
【請求項９】
制御チャネル特性が、前記プライマリ局によって送信されるRRC通知を含む、請求項１から請求項８のいずれか一項に記載の方法。
【請求項１０】
前記RRC通知が、送信モードの前記セットから選択された送信モードをどのように推定すべきかを前記セカンダリ局に示す、請求項９に記載の方法。
【請求項１１】
前記RRC通知が送信モードのサブセットを示し、当該サブセットのうちの１つが、選択された送信モードであると推定されることができる、請求項１０に記載の方法。
【請求項１２】
前記プライマリ局が、RRC通知を通して、前記セカンダリ局との通信の送信モードを暗黙に再設定し、前記通信は、RRC信号から再設定を推定する前記セカンダリ局によって再設定される、請求項９又は請求項１０に記載の方法。
【請求項１３】
前記既存のRRC信号がセル変化に対応する請求項１２に記載の方法。
【請求項１４】
前記再設定が、デフォルトの送信モードへのものである、請求項１２又は請求項１３に記載の方法。
【請求項１５】
送信モードの変更に続いて、タイマの経過後、デフォルトの送信モードへの自動的再設定が行われる、請求項１から請求項１４のいずれか一項に記載の方法。
【請求項１６】
送信モードの変更が前記タイマをリセットする請求項１５に記載の方法。
【請求項１７】
複数の送信モードによって複数のセカンダリ局と通信するための手段を有するプライマリ局であって、送信モードのセットから送信モードを選択するための手段、及び、少なくとも１つの制御チャネル特性を変更することによって、選択された送信モードを前記セカンダリ局に暗黙に通知するための手段を有するプライマリ局。
【請求項１８】
通信システムにおいてプライマリ局と通信するための手段を有するセカンダリ局であって、少なくとも２つの送信モードのセットから選択された送信モードによって前記プライマリ局と通信するための手段を有し、少なくとも１つの制御チャネル特性に基づいて、選択された送信モードを推定するための手段を有する、セカンダリ局。
【発明の詳細な説明】
【技術分野】
【０００１】
本発明は、複数の送信モードから選択される送信モードによって、プライマリ局と少なくとも１つのセカンダリ局との間で、ネットワークにおいて通信するための方法に関する。本発明は、この方法によって通信するプライマリ局及びセカンダリ局にも関する。
【０００２】
本発明は、例えば、UMTS、UMTS LTEネットワークのようなモバイル遠距離通信ネットワーク、あるいは、広帯域無線ネットワーク又はWLANに関連する。
【背景技術】
【０００３】
図1に表される従来の無線システムにおいて、プライマリ局100は、複数のセカンダリ局110とデータを交換する。そのデータを送信するために、プライマリ局100は、ダウンリンク・データチャネル101上でそのデータを送信する。このダウンリンク・データチャネルは、いくつかの基準(例えばサービス品質、干渉、ダウンリンク・チャネル品質)に応じて、時間とともに調節されることができる。これらの変更をセカンダリ局110に通知するために、プライマリ局100は、ダウンリンク制御チャネル102上でセカンダリ局110に、制御データ(又はシグナリング)を送信する。同様に、セカンダリ局110は、アップリンク制御チャネル111上でそれらのデータを送信する。さらに、アップリンク制御チャネル112は、送信のためのリソースを要求するため、及び/又は、ダウンリンク送信に関する若しくはチャネル品質状態に関するフィードバックをプライマリ局に提供するために、セカンダリ局によって用いられる。
【０００４】
UMTS LTE (Long Term Evolution)又はLTE Advancedのようなモバイル通信システムのように、多くの無線システムにおいて、制御チャネル102又は112上でのシグナリングが提供され、それは、データチャネル101又は111にデータがマッピングされる特定の時間・周波数送信リソース、及び、そのデータのために使用される送信スキーム(すなわちデータ自体が送信されるフォーマット/モード)を示す。更に、セカンダリ局は、適切な送信リソース及び送信スキームを用いて適切なセカンダリ局に対して送信をスケジューリングする際にプライマリ局を援助することを目的とするチャネル状態フィードバックを提供することができる。したがって、一般に、送信モードは、プライマリ局によって用いられる送信スキーム及びセカンダリ局によって提供されるフィードバックのタイプの一方又は両方によって定められることができる。
【０００５】
UMTS LTE Rel-8ダウンリンク通信のために、リソース割り当て及び伝送フォーマット情報を含む関連するダウンリンク制御チャネル101は、物理ダウンリンク制御チャネル(Physical Downlink Control Channel：PDCCH)として知られる。PDCCHが伝えるメッセージは、ダウンリンク制御チャネル情報（Downlink Control Channel Information：DCI)として知られる。それぞれの送信モードのためのリソース割り当ては、一般的に、異なるDCIフォーマットを用いて示される。セカンダリ局(ここでは使用者機器又はUE)は、使用可能なセットから限られた数の異なるDCIフォーマットを受信するように構成される。したがって、PDCCHにおけるUEによって期待されるDCIフォーマットのタイプを設定することは、セカンダリ局によって期待される可能性がある送信モードを直接制御し、特定の送信モードは、リソース割り当てのために使用される特定のDCIフォーマットによって通知される。DCIフォーマット・コンテンツは、送信モードに関連付けられることもできる(例えば、LTEにおいて、1ビット・フィールドがアップリンク又はダウンリンク・リソースを示す)。
【０００６】
さらにいくつかの使用可能な送信モードに関しては、実装及び検証の複雑度を低減するために、あまりに多くのDCIフォーマットを特定しないことが望ましい。他方で、LTEの更なる展開において、追加のDCIフォーマットが定義されることを必要とする可能性がある。特に興味深いことに、新たな送信モードが議論されており、協調マルチポイント送信(CoMP送信)及び/又はマルチユーザMIMO(MU-MIMO)モードが、更なる柔軟性を許容するために現在再定義されている。これらの新たな送信モードは通知されることを必要とする。しかしながら、DCIフォーマットの数を増加させないことが好ましい。更に、シグナリング・オーバーヘッドを回避することが望ましい。
【０００７】
LTEにおいて、送信モード（すなわち、UEによって期待されるDCIフォーマット及び/又はフィードバック・モード）は、より高いレイヤの通知によって設定される。しかしながら、送信モードの頻繁な変更が必要とされる場合、より高いレイヤの通知の使用は、データ送信における容認できない遅延及び通知メッセージによる重大なオーバーヘッドを導入する可能性がある。
【発明の概要】
【発明が解決しようとする課題】
【０００８】
上述の問題を軽減する方法を提案することが本発明の目的である。
【０００９】
新たなDCIフォーマット又は新たな通知を必要とすることなく全ての送信モードを通知することを可能にする方法を提案することが本発明の他の目的である。
【課題を解決するための手段】
【００１０】
この目的のために、本発明の第１の態様によれば、通信システムを動作させるための方法が提案され、前記通信システムは、プライマリ局及び少なくとも１つのセカンダリ局を有し、プライマリ局は、セカンダリ局と通信するために少なくとも２つの送信モードのセットから送信モードを選択し、セカンダリ局は、少なくとも１つの制御チャネル特性に基づいて、選択された送信モードを推定し、送信モードは、プライマリ局からセカンダリ局へとデータを通信するモード又はセカンダリ局からプライマリ局へとチャネル状態に関するフィードバックを通信するモード、あるいはそれら２つの組み合わせであることができる。
【００１１】
本発明は、中央エンティティ(プライマリ局)と少なくとも１つのセカンダリ局との間の通信の異なるモードを動的に切り替えるための１セットのメカニズムを定義する。本発明において説明されるメカニズムは、制御チャネル特性から正しいモードをセカンダリ局に推定させることによって、モード切り替えにおける更なる柔軟性を可能にする。正しい送信モードの明示的な通知に依存する必要がない可能性は、特定の新たな通信モードのための更なる制御チャネル・フォーマットを導入する必要がなく、それによって、シグナリング・オーバーヘッド及びLTEのようなシステムにおいてセカンダリ局が実行する必要がある制御チャネル情報の必要なブラインド・デコードの数を低減することを意味する。
【００１２】
本発明の第２の態様によれば、複数の送信モードによって複数のセカンダリ局と通信するための手段を有するプライマリ局が提案され、当該プライマリ局は、送信モードのセットから送信モードを選択するための手段、及び、少なくとも１つの制御チャネル特性を変更することによって、選択された送信モードをセカンダリ局に暗黙に通知するための手段を有する。
【００１３】
本発明の第３の態様によれば、通信システムにおいてプライマリ局と通信するための手段を有するセカンダリ局が提案され、当該セカンダリ局は、少なくとも２つの送信モードのセットから選択される送信モードによってプライマリ局と通信するための手段を有し、当該セカンダリ局は、少なくとも１つの制御チャネル特性に基づいて、選択された送信モードを推定するための手段を有する。
【００１４】
本発明のこれらの及び他の態様は、以下に説明される実施の形態から明らかであり、それらを参照して説明される。
【００１５】
本発明は、添付の図面を参照してさらに詳細に一例として説明される。
【図面の簡単な説明】
【００１６】
【図１】従来の通信システムのブロック図。
【図２Ａ】本発明の実施の形態による通信システムの動作を示すブロック図。
【図２Ｂ】本発明の実施の形態による通信システムの動作を示すブロック図。
【発明を実施するための形態】
【００１７】
本発明は、基地局、NodeB又はeNodeBのようなプライマリ局及びモバイル局又は使用者機器のような複数のセカンダリ局を有する通信ネットワークに関する。
【００１８】
例示的な実施の形態は、図1に説明されるようなモバイル・ネットワークにおいて実施される。上で説明されたように、ダウンリンク制御チャネル101は、DCIが送信される少なくとも１つのPDCCH(Physical Downlink Control Channel：物理ダウンリンク制御チャネル)を有する。このようなシステムでは、DCIは複数のフォーマットを有することができ、そして各々が１つの送信モード専用である。
【００１９】
物理ダウンリンク制御チャネル(PDCCH)は、様々な目的を取り扱う。主として、それは、個々のUEに対するスケジューリング決定、すなわちアップリンク及びダウンリンクのためのスケジューリング割り当てを伝達するために用いられる。PDCCHは、サブフレームの第１OFDMシンボル中に配置される。フレーム構造タイプ2では、PDCCHは、DwPTSフィールドの最初の２つのOFDMシンボルにマップされることもできる。サブフレームの第１OFDMシンボル中の特定のリソース要素上で伝達される更なる物理制御フォーマット・インジケータ・チャネル（Physical Control Format Indicator Channel：PCFICH)は、PDCCHのためのOFDMシンボルの数を示すために用いられる(1、2、3又は4つのシンボルが使用可能である)。セル中のユーザの数及びPDCCH上で伝達される通知フォーマットに依存して、PDCCH上の負荷が変化する場合があるので、PCFICHが必要である。
【００２０】
上で説明されたように、PDCCHで伝達される情報は、ダウンリンク制御情報又はDCIと呼ばれる。制御メッセージの目的に応じて、DCIの異なるフォーマットが定義される。一例として、DCIフォーマット1のコンテンツは、一例としての下記の表1に示される。DCIフォーマット1は、空間多重化が用いられない場合にダウンリンク共有チャネル・リソースの割り当てのために用いられる(すなわち、スケジューリング情報は、１つの符号語のみのために提供される)。提供される情報は、そのサブフレームにおいてPDSCHを受信するためのリソース及びそれをどのように復号するかをUEが特定することを可能にするために必要な全てを含む。リソース・ブロック割り当ての他に、これは、変調及び符号化スキームに関する、及びハイブリッドARQプロトコルに関する情報も含む。
【表１】
2013516881.tif 000003
【００２１】
DCIの巡回冗長チェック(CRC)は、UEに対するスケジューリングされたメッセージのアドレス指定を行うために用いられるUE識別によってスクランブルされる。
【００２２】
送信モードごとにDCIフォーマットが対応する。例えば、DCIフォーマット1Aは、単一符号語PDSCH送信のリソース割り当てのコンパクトな通知のために用いられる。DCIフォーマット1Bは、ランク1送信による閉ループ・プリコーディングを用いたPDSCH送信のリソース割り当てのコンパクトな通知のために用いられる。同じように、PSDCHでのMU-MIMO送信のためのDCIフォーマット1Dが存在する。DCIフォーマットの網羅的なリストは、簡潔性のために省略される。
【００２３】
DCI(Downlink Control Information)フォーマット0は、アップリンク・スケジューリング付与を伝達するためにPDCCHで用いられ、下記の表2に示される。
【表２】
2013516881.tif 000004
【００２４】
本発明の第１の実施の形態によれば、プライマリ局は、送信モード又は送信モードの変更を暗黙に示すために、既存のフォーマットのための制御チャネルのさまざまな特性を用いる。したがって、１つのDCIフォーマットが、２つの異なる送信モードのために用いられることができる。どの送信モードを選択するかを決定するために、セカンダリ局は、例示的な実施の形態において、制御データ・チャネルの他の送信特性からPDDCHを導き出す。したがって、これは、同数のDCIフォーマットによって送信モードの柔軟性を増加させることを可能にする。
【００２５】
LTEのようなシステムにおいて、送信モード又は送信モードに関する情報は、以下の制御チャネル特性のうちの１つ以上によって示されることができる。
・PDCCH送信の特性、
−  PDCCHのために使用される集合レベル(すなわち、制御チャネル・メッセージのために用いられる物理リソースの量)
−  PDCCH CRCに適用されるスクランブリング・シーケンス
−  サーチ空間におけるPDCCHの位置。実際、本発明の実施の形態の例では、いかなる固定されたリソースもPDCCHのためにスケジューリングされない。その結果として、セカンダリ局は、サーチ空間中の１セットのリソースをリスンして、これらのリソースのうちの１つがそのセカンダリ局にアドレス指定された通知を含むかどうかを決定するために復号する必要がある。サーチ空間におけるリソースの位置は、セカンダリ局に特定の送信モードを通知する手段として用いられることができる。
− CRS(Common Reference Symbol)及び/又はDRS(Dedicated Reference Symbol)とデータとの間の特定のパワー比
oこの情報は、パワー比が特定の閾値を超えるか又はそれ以下であるかどうかに従って示されることができる
oパワー・オフセットは、プリコーディング前にDRSに適用されることができる(又はプリコーディング後にCRSに適用されることができる)
・通知される送信ランク。例えば：
o N以下のランクはMU-MIMOを示す(例えばN=1)
o Mより大きいランクはSU-MIMOを示す(例えばM=1)
o N以下のランクは以降の送信のためのMU-MIMO(例えばN=2)への切り替えを示す。
o Mより大きいランクは以降の送信のためのSU-MIMO(例えばM=2)への切り替えを示す。
・符号語の数。例えば：
o １つの符号語= MU-MIMO
o ２つの符号語= SU-MIMO
【００２６】
いくつかの明示的な通知が、更なるビットなしで送信されることができる。例えば：
・使用されていないビット(例えば、DCIフォーマットが２つの符号語の送信をサポートするが、１つの符号語のみが示される場合、使用されていない符号語に関連付けられた予備のシグナリング・ビットが存在する)
o NDIは、送信モード又は送信モードの切り替えを示すことができる。
・どこかの使用されていない/予備の値の組み合わせ
o 例えば、プリコーダ/ランク指標のためのフィールドは使用されていない組み合わせを有する場合がある。
【００２７】
実施の形態に依存して、マルチ・キャリア動作において、モードの指示は、ただ１つの搬送周波数又は複数のキャリア上のPDCCHの特性によることができる。実施の形態又は構成に依存して、モードの指標は、アップリンク・リソースを付与するPDCCH及びダウンリンク送信を示すPDCCHのうちの一方のみ、又はそれらの両方によることができる。
【００２８】
本発明の更なる特徴は、以下を含むことができる。
・上記の暗黙の/明示的な指標の１つ以上によって決まる(プリコーディング及び/又はフィードバックのために用いられるべき)コードブック
・上記の暗黙の/明示的な指標の１つ以上によって決まるUEからのチャネル状態フィードバック・モード(例えば明示的/間接的)
・コードブック及び/又はフィードバック状態(すなわちSU/MU-MIMO)は、以下のときまで、同じままである。
o 上記のうちの１つにより元に切り替えられる
o 以下のような制御チャネル・パラメータの特定の値が受信される
*送信ランク
*符号語の数
o RRC(Radio Resource Control)通知イベント。例えば、
*セル変更
*再構成
o タイムアウト。例えば；
*タイマが期限切れになった後で状態を変更する。
*タイムアウト期間は状態に依存する。
*タイマが期限切れになった後でデフォルトの状態に切り替える。
【００２９】
DCIフォーマットごとに異なる(より小さい)サーチ空間を有することによってサーチ空間のサイズを低減することも可能である。これは、サーチ空間によってフォーマット及び/又はモードを区別する可能性につながる。一例として、LTEに基づく実施の形態において、サーチ空間中の制御メッセージの位置によってフォーマット及び/又はモードを区別することが可能である。効果的に、異なるDCIフォーマットが異なるモードのために用いられるが、各々のDCIフォーマットはサーチ空間の異なる部分において送信されている。これは、Rel-8 UEのために定義されるサーチ空間にわたって複数のDCIフォーマットをサーチすることによってブラインド復号の数が増加することを回避する。例えば、２つの同様のDCIフォーマットは、サーチ空間の前半にあるか又は後半にあるかによって区別されることができる。
【００３０】
他の一実施例において、UEは、示される符号語の数から送信モードを推定することができる。例えば、１つの符号語はモードがMU-MIMOであることを意味することができ、一方、２つの符号語はSU-MIMOを示すことができる。
【００３１】
他の先行する実施の形態から独立して又はこれらの先行する実施の形態と組み合わせて実施されることができる他の実施の形態において、eNodeBへとUEによって送信されるチャネル状態フィードバックは、送信モードに依存する。例えば、CQIを決定するためにUEによって実行される計算は、SU-MIMO、MU-MIMO又はCoMP送信の仮定に基づくことができる。このフィードバックは、周期的に送信されることができる。バリエーションにおいて、フィードバック・モードは、送信モードから独立して決定されることができるが、上記のメカニズムの１つ以上によって（例えば暗黙に）制御されることができる。
【００３２】
最初に、我々は、MU-MIMO及びSU-MIMOのためのフィードバックの考えられる違いを考慮する。
− MU-MIMOのための制限された送信ランク: MU-MIMOにおいて用いられることができるUEあたりの最大のレイヤ数は依然として検討中である。しかしながら、それがSU-MIMOの場合より少ないことは確かである。したがって、MU-MIMOモードにおけるフィードバックは一般的にSU-MIMOとは異なるランク制限に従って計算される。
− MU-MIMO及びSU-MIMOのための異なるコードブック：異なるコードブック・サブセット制限が、MU-MIMO及びSU-MIMOのために半静的に設定される。
− 明示的なフィードバックはMU-MIMOに対して好ましく、暗黙のフィードバックはSU-MIMOに対して好ましい：明示的なフィードバックは、MU-MIMOにおけるより正確なゼロ-フォーシング・ビーム成形をサポートすることが可能である。
− 干渉についての異なる仮定: MU-MIMOモードにおいて、フィードバックが暗黙の場合であっても、UEはそれ自身のPMIだけでなく、それに最小の干渉を引き起こさせるPMIも報告することができる。
− PDSCHパワーについての異なる仮定：フルeNB送信パワーは、MU-MIMOモードでは利用可能でない。
− 複数のタイプのフィードバックが、異なる仮定に対応して(例えばSU-MIMO及びMU-MIMO送信の両方の仮定の下で)送信されることができる。しかしながら、報告の詳細(例えば、フィードバックを計算するために使用される方法、周期性、各々の送信モードに対応するレポートの割合)は、２つのモード間で異なる場合がある。
【００３３】
実施の形態の例が図2A-2Bを参照して説明される。図2Aにおいて、プライマリ局200は、アンテナアレイ204によって複数のセカンダリ局210a、210b及び210cと通信する。このアンテナアレイは、この例では４つのアンテナ・ポートから成る。図2Aに説明される第１動作段階では、プライマリ局は、セカンダリ局210aとSU-MIMOモードで通信する。これは、セカンダリ局210aがMIMO送信を受信する唯一の局であることを意味する。MIMO送信の送信ランク(すなわち、セカンダリ局210aがプライマリ局200から同時に受信するデータ・ストリームの数)は、制御チャネル上で通知される。第１動作モードにおいて、ランクは、チャネル品質に応じて、及び、送信するデータの量又は他のパラメータの量に応じて、ランク２(２つのストリーム)からランク４へと変化する場合がある。プライマリ局がMU-MIMO送信モード(すなわち複数のセカンダリ局が同時にプライマリ局と通信するMIMO送信)に入る必要がある場合、プライマリ局は、１に等しい送信ランクをセカンダリ局211aに通知する。
【００３４】
送信ランクが1に等しいことを示す制御メッセージをセカンダリ局210aが受信すると、それによって、セカンダリ局210aは、MU-MIMO送信モードへの切り替えを知る。これは、この第２動作段階に入るときに、干渉に関してセカンダリ局210aのための特定の挙動をもたらすことができる。例えば、セカンダリ局は、干渉が全ての利用可能なポート(又は、利用可能なポートの定義されたサブセット)に存在すると仮定する。そのような第２動作段階は図2Bに説明され、プライマリ局200は、MIMOモードでセカンダリ局210a及び210bと同時に通信する。送信のそれぞれのランクは、1と3との間で変化することができる。例えば、セカンダリ局210aに対する送信のランクは3であることができ、そして、セカンダリ局210bに対する送信のランクは1であることができる。他の例では、同時に通信する多くのセカンダリ局が存在する場合がある。
【００３５】
プライマリ局200がセカンダリ局210aとの元のSU-MIMO送信モードへ切り替わる場合、プライマリ局は、４と等しい送信ランクをセカンダリ局210aに通知する。その後で、そして第１の動作段階のように、送信ランクは、状況に応じて２から４まで変化することができる。
【００３６】
１つのモードから他のモードへの切り替えをトリガする値は、この例では、送信ランクの考えられる範囲の特定の値である。これらは、（この例では１及び４のような）単一の値であるか、又は、範囲のような（例えば、MU-MIMOのための1-2、SU-MIMOのための5-8）値のサブセットであることができる。さらに、この送信は、あるモードから他のモードへの切り替えを引き起こす送信特性の例である。しかしながら、前に説明された他の送信特性が、送信モードの切り替えをトリガするために選択されることができる。同様に、この例は、MU-MIMOとSU-MIMOとの間の変化に制限していない。
【００３７】
本発明の実施の形態によれば、通信システムを動作させる方法が提案され、前記通信システムは、プライマリ局及び少なくとも１つのセカンダリ局から成り、プライマリ局とセカンダリ局との間の通信は、異なる送信パラメータ及び/又はセカンダリ局挙動が必要とされる少なくとも２つの送信モードのセットを有し、当該方法は、セカンダリ局が、少なくとも１つの制御チャネル特性に基づいて正しい送信モードを推定する。
【００３８】
この実施の形態の変形例において、送信モードが、SU-MIMO、MU-MIMO及びCoMPであることが提案される。
【００３９】
この実施の形態の他の変形例において、送信モードは、１つ以上のコードブック及びフィードバック・モードを有する。コードブックは、無線チャネルを表すプリコーディング行列若しくはベクトル又はセカンダリ局によってプライマリ局に推奨されるプリコーダを含むことができる。セカンダリ局は、送信ランク(すなわち複数の空間ストリーム又はレイヤ)を推奨することもできる。異なるコードブック・サブセット制限は、それぞれのモードに適用されることができ、コードブック・サブセット制限は、特定のコードブック・エントリ及び/又は送信ランクがフィードバックを計算する際にセカンダリ局によって考慮されない技術である。コードブック・サブセット制限は、半静的な設定によって適用されることができるか、又は、通知を低減するために、少なくとも部分的に予め定められている(例えば規格によって定められる)。コードブック・コンテンツは、送信モードに依存することができる。例えば、DFTベースのコードブックは、MU-MIMO及び/又はCoMPに適しており、異なるコードブック構造はSU-MIMOに適している。よりさらに、コードブック・コンテンツは送信ランクに応じて異なることができ、例えば、DFTベースのコードブックは1(及びおそらく2)の送信ランクに適しており、異なるコードブック構造はより高いランクに適している。モード及び/又はランクごとに異なるコードブックの同じ効果は、(例えば半静的構造による及び/又は規格により予め定められた)コードブック・サブセット制限の適切な適用を伴う１つのより大きいコードブックの設計によって達成されることができる。
【００４０】
本発明のさらに別の変形例において、制御チャネル特性がDCIメッセージの特性であることが提案される。DCIメッセージの適切な特性は、以下を含む:
a. リソース・アプリケーション・タイプを示すために使用されるDCIフォーマットのタイプ;
b. 既存のDCIフォーマットのDCIフィールド・コンテンツ;
c. 制御のために使用される特別なDCIフィールド;
d. 既存のフォーマットにおける空間レイヤの数。
【００４１】
この実施の形態の他の変形例において、用いられる制御チャネル特性は、サーチ空間における制御チャネルを伝達するPDCCHの位置である。
【００４２】
この実施の形態の更なる変形例において、送信ランク情報が、正しい送信モードを推定するために、セカンダリ局によって用いられる。さらに、送信ランクが数Mを超える場合、セカンダリ局は、SUモードのための送信パラメータ及び挙動を仮定し、一方、送信ランクが数N（N ≦M）より小さい場合、セカンダリ局は、MUモードのための送信パラメータ及び挙動を仮定する。
【００４３】
この実施の形態の他の変形例において、制御チャネル・データ特性は、各々のPDCCHに付加されたCRCであり、このCRCは、セカンダリ局が正しい送信モードを推定することができるように、送信モードに従ってスクランブルされている。
【００４４】
セカンダリ局が、プライマリ局からのRRC通知を考慮して送信モードを推定することも可能である。例えば、プライマリ局は、RRC通知を通して、送信モードのセットから正しい送信モードを推定するようにセカンダリ局を明示的に設定する。他の例において、セカンダリ局は、送信モードのサブセットによって設定され、そのサブセットのうちの１つが正しい送信モードであると推定されることができる。
【００４５】
他の例において、プライマリ局は、RRC通知を通して、セカンダリ局とのその通信の送信モードを暗黙に再構成し、前記通信は、(なんらかの他の目的が意図される)既存のRRC信号から再構成を推定するセカンダリ局によって再構成される。したがって、前記既存のRRC信号は、セル変化に対応することができる。この例では、再構成は、デフォルトの送信モードへのものであることができる。
【００４６】
アンテナ・ポート構成によってMU-MIMO動作を示すことが可能である。例えば、アンテナ・ポートが昇順で優先して割り当てられるルールが存在する場合がある。
【００４７】
例えば、利用可能な8つのアンテナ・ポート(0,1,2,3,4,5,6,7)がある場合、UEは、ポート0でランク1のPDSCH送信を受信するべきであることを通知されることができる。他のポート上の送信があるかどうかは確かではない。しかしながら、それがポート1の指示を受信する場合、それは、ポート0を用いて同時にスケジューリングされる他のUEが明らかに存在することを推定することができる。その場合、UEは、例えば、潜在的に干渉するアンテナ・ポートに対応するリファレンス・シンボルからチャネル及び送信パワーを測定することによって、干渉を抑制するための適切な手段を採ることが可能である。
【００４８】
他の例として、UEがポート2及び3でのランク2送信を通知される場合、それは他のUEがポート0及び1にスケジューリングされていることを仮定することができる。
【００４９】
変形例として、UEが特定のポート（例えば、最も小さい利用可能な番号以外）上での送信の指示を受信する場合、それは、SU-MIMO動作ではなくMU-MIMOを仮定することができる。MU-MIMOの場合、全ての利用可能なポート（又は利用可能なポートの定められたサブセット）に干渉が存在することを仮定する。
【００５０】
潜在的に干渉する送信は、同じセル又は異なるセルからである場合がある。異なるセルは、同じeNodeBによって制御される場合もあるし、異なるeNodeBによって制御される場合もある。
【００５１】
本発明は、プライマリ局とセカンダリ局との間の送信の複数のモード、中でも注目すべきはMIMO及びMU-MIMOモードを用いる無線通信システムに対する、特定の、但し限定的ではないアプリケーションを有する。例として、UMTS、UMTS LTE及びUMTS LTE-Advancedのようなセルラ・システム、並びに、無線LAN(IEEE 802.11n)及び広帯域無線(IEEE 802.16)を含む。
【００５２】
明細書及び請求の範囲において、単数で表された要素は、その要素が複数存在することを除外しない。さらに、「有する」「含む」などの用語は、列挙されたもの以外の他の要素又はステップの存在を除外しない。
【００５３】
請求の範囲の括弧中に参照符号が含まれることは、理解を助けることを目的しており、制限することを意図しない。
【００５４】
本開示を読むことによって、他の変形例が当業者にとって明らかであろう。そのような変形例は、無線通信技術において既に知られている他の特徴を含むことができる。
【図１】
2013516881.tif 000005
【図２Ａ−２Ｂ】
2013516881.tif 000006
【国際調査報告】
2013516881.tif 000007
2013516881.tif 000008
2013516881.tif 000009
2013516881.tif 000010